(57)【特許請求の範囲】
【請求項１】
遊技玉を遊技盤上に沿って落下させて遊技を行う遊技機の遊技盤において、該遊技盤に所定の取付部材を組み付けるために形成された取付口に、該取付口を跨がって設けられる補強部材を前記取付部材を避けて前記遊技盤の裏面側に形成し、
前記取付部材の所定部分を保持して該取付部材を位置決め固定するための保持部を前記補強部材に設けた
ことを特徴とする遊技盤。
【請求項２】
前記遊技盤を合成樹脂により成型し、前記補強部材は、前記遊技盤と一体に成型したことを特徴とする請求項１に記載の遊技盤。
【請求項３】
前記遊技盤と別に成型した補強部材を前記取付口に取り付けることを特徴とする請求項１に記載の遊技盤。
【請求項４】
前記補強部材が複数設けられ、該複数の補強部材が互いに交差し、該複数の補強部材のそれぞれの両端が前記取付口の端部に取り付けられている
ことを特徴とする請求項１から３のいずれか１項に記載の遊技盤。
【請求項５】
前記複数の補強部材のそれぞれが面積の大きい面と小さい面とを有する板状部材であり、該板状部材の面積の大きい面が前記遊技盤の盤面と略垂直な方向を向くよう構成した
ことを特徴とする請求項４に記載の遊技盤。
【請求項６】
前記補強部材は、前記取付部材の裏側を保護するため少なくとも前記取付口の一端部から延設されていることを特徴とした請求項１から５のいずれか１項に記載の遊技盤。
【発明の詳細な説明】
【０００１】
【発明の属する技術分野】
本発明は、パチンコ機等の遊技機の遊技盤に関し、特に合成樹脂製の遊技盤において、遊技盤に取り付けられる役物や表示装置等の各種取付部材が大型化したことによる遊技盤の強度低下や、取付強度の低下、更に成型精度の低下等を防止した遊技盤の改良に関する。
【０００２】
【従来の技術】
パチンコ機等の遊技機の遊技盤には、盤面上に適宜発光する発光部や、可動式の役物、液晶画面の表示装置等が取り付けられている。これら発光部や役物等の部材は、一般にプラスチック等から個別に形成し、遊技盤の盤面に予め形成されたそれぞれの取付口に嵌め合せている。したがって、遊技盤には表示装置等を組み込むための取付口が多数形成してある。
【０００３】
又遊技盤は、木材を主体として構成したものと、合成樹脂を素材に一体に成形したものがあり、昨今合成樹脂材を用いて一体に成型する例が増加してきており、合成樹脂製の場合には取付口も一体に成形している。又遊技機は、遊技盤に沿って遊技用の玉を落下させていくため、遊技盤表面の平面度が重要であり、合成樹脂で成型する場合も裏面にリブを立てたり、あるいは板厚を調整する等して形状精度を高めるようにしている。
【０００４】
一方、遊技者の興味を増加させるため、遊技盤に取り付けられた発光部や役物、表示装置の画面等を大型にし、これら各種部材によって遊技盤を装飾して変化をもたせ、又各種の遊技内容が行なわれるようにしている。
【０００５】
【発明が解決しようとする課題】
しかしながら、役物等遊技盤に取り付ける取付部材を大型にすると、これらを取り付けるために遊技盤に形成される取付口の面積が拡大し、遊技盤の各所に大きな開口部が形成されることとなる。すると、遊技盤の強度が低下し、又面積の広い取付口に大型の取付部材を固定することとなるため、正確に位置合わせすることが難しくなり、更に取付部材の取り付け強度も低下してしまうことがあった。
【０００６】
又合成樹脂製の遊技盤においては、遊技盤を射出成型等した場合に、金型内での樹脂の流れが取付口によって遮られ、金型全体に溶融樹脂が充満しないで樹脂が途中で切れてしまう、いわゆるショートウェルドが発生することがある。
【０００７】
更に、金型内に射出された溶融樹脂が取付口を避けて流れるため、金型内における溶融樹脂の流れが円滑に行われず、又取付口によって金型内での伝熱速度が大きく異なり、溶融樹脂の硬化時間が場所によって異なってしまうことから、金型の温度制御が難しく成型された遊技盤に歪みやひけ、反り等が発生してしまうこともあった。そして、遊技盤にそりや歪みが発生すると、釘による微妙な玉流下制御が妨げられるという、遊技機にとって重大な問題が発生してしまうことがある。
【０００８】
本発明は、開口面積の広い取付口を設けた場合においても、遊技盤にそりや歪み等の発生がなく、かつ取付部材を取付口に強固に取り付けることができる遊技盤を提供することを目的とする。
【０００９】
【課題を解決するための手段】
本発明では、上記課題を解決するため、遊技盤に形成された取付口に補強用の梁を遊技盤の裏面側に取り付けることとした。梁は、取付口に取り付けられる役物等の取付部材を避けて取付口を跨いで取り付けることとし、梁は射出成型により遊技盤と一体に成型しても、あるいは別途梁部を形成し、その梁部をねじ等により取付口の周縁に取り付けることとしてもよい。又、梁は取付口を跨ぐのではなく、梁の片側が遊技盤に接触していなくとも、少なくとも取付口に取り付けられる取付部材の裏側を保護できればよい。
【００１０】
これにより、取付口による遊技盤の強度の低下や役物、表示装置等の取り付け強度の低下を防止でき、又、遊技盤を一体に成型したものでは取付口に渡した梁の内部を射出時溶融樹脂が流れるため取付口周辺の溶融樹脂の流れを円滑にでき、又樹脂の温度制御も確実にでき、遊技盤の歪みやひけ、反り等の発生を防止することができる。
【００１１】
又、表示装置等取付部材の裏側に梁を設けるため、取付部材が遊技盤に取り付けられた際、それらを梁で保護することができる。更に、梁に取付孔等を設け、この取付孔に表示装置等の取付部材を組み付けるようにしてもよい。このようにすれば、遊技盤における取付部材の位置決めができ、かつ取付部材の固定箇所を取付口の周囲だけでなく梁側にも設けることができることから、取り付け箇所を増加させ、取付部材の取り付けを強固にすることができる。
又、補強部材を複数設け、この複数の補強部材が互いに交差し、この複数の補強部材のそれぞれの両端を前記取付口の端部に取り付けるものとし、更に、複数の補強部材のそれぞれを面積の大きい面と小さい面とを有する板状部材で構成し、その板状部材の面積の大きい面が遊技盤の盤面と略垂直な方向を向くよう構成した。このようにすることにより、補強部材によって、より強固な補強を行うことができる。
【００１２】
【発明の実施の形態】
次に、本発明にかかる遊技盤の一実施形態について図を用いて説明する。
【００１３】
図２にパチンコ機１を示す。パチンコ機１は前面に、ガラス板３２を備えたフロントドア３１と、発光部Ａと、フロントドア３１の下部に設けられた上受け皿３３、及び下受け皿３５と、発射用のハンドル４０等を備えている。
【００１４】
フロントドア３１の内側には、ガラス板３２を介して遊技盤３０が設けられている。遊技盤３０は、図３に示すように遊技基盤２と、遊技基盤２の表面に設けられた多数の釘３４と、役物３６と、各種の入賞口３８と、表示装置３９と、大型入賞装置４２等から形成してある。
【００１５】
そして、遊技盤３０の右下部に設けられたハンドル４０を操作することにより、遊技盤３０に遊技玉（図示せず）が打ち出され、釘３４等により形成された遊技玉の落下通路に沿って順次落下して、途中の入賞口３８に入れば入賞となり所定数の玉が払い出され、入賞口３８等に入らなければ回収口４１から回収されるようになっている。又、表示装置３９は液晶表示面により通常１〜１５の数字が３列に表示され、これらの図柄が揃うと大当たり入賞となり、大型入賞装置４２の開閉板４３が開放動作を行なう。又発光部Ａは、遊技内容に応じて各種の色の光が発光、点滅される。
【００１６】
次に、遊技基盤２について図１および図３を用いて説明する。
【００１７】
図１に遊技基盤２の裏面を示す。遊技基盤２は、合成樹脂からなり、図１に示すように遊技基盤２のほぼ中央に表示装置３９を設置する取付口４が形成してあり、取付口４の下方に大型入賞装置４２を設置する取付口５が形成してあり、又、各入賞口３８を組み付ける取付口４４、および釘３４を植設する釘取付部４６等が一体に形成してある。
【００１８】
取付口４等は、図３に示すように表示装置３９等それぞれの取付部材の外形とほぼ同形に形成してある。役物３６、表示装置３９、大型入賞装置４２等は、それぞれ個々に組立てられ、組み立てられた役物３６や表示装置３９等は、図３の矢印に示すように遊技基盤２のそれぞれの取付口４等に取り付けられる。
【００１９】
表示装置３９は、取付口４に組み付けた後、表示装置３９に設けられた爪部を掛けたり、あるいはねじ等（いずれも図示せず）を用いて遊技基盤２に固定される。更に、遊技基盤２の取付口４、及び取付口５の裏側には、図１に示すようにこれら取付口４等を跨いだ形で梁６、７が形成してある。
【００２０】
梁６は、図４に示すように表示装置３９を取付口４に組み付けた場合にも干渉することがないようにコノ字状に形成され、遊技基盤２と同一の部材で遊技基盤２の射出成型時に遊技基盤２とともに一体に成形されている。すなわち、遊技基盤２を成型する金型（図示せず）に梁６の部分を予め設け、遊技基盤２を成型する際同時に成形される。梁７も梁６と同様に成形されている。
【００２１】
このように遊技基盤２の取付口４に梁６を形成したことにより、取付口４が開口されたことによる遊技基盤２の強度低下を防止し、ねじれや変形に対する遊技盤３０の強度を高めることができる。又、表示装置３９等を遊技基盤２に強固に固定でき、かつ取付口４に固定した表示装置３９の裏側を梁６によって保護することができる。
【００２２】
更に遊技基盤２を成型する金型内においては、取付口４が広く形成されていても、射出された溶融樹脂が梁６の内部を流れていくため、溶融樹脂の流れが円滑になり、ショートウェルドなど樹脂の充填不良を防止し、また溶融樹脂の冷却速度の差を減少させて、遊技基盤２のそりや歪み等の発生を防止することができる。
【００２３】
図５に梁の他の例を示す。この梁８は、遊技基盤２とは別に成型してあり、梁８の両端をねじ４８により取付口４の端部に固定してある。このように梁８を設けても取付口４の強度を高め、表示装置３９等を保護することができる。又、梁４の取り付けはねじ４８に限らず、はめ込み式で固定したり、あるいは接着剤、熱融着等によって接着してものでもよい。
【００２４】
又、図６に梁の他の例を示す。図６に示すように梁６の設置方向は遊技盤３０の縦方向、あるいは横方向のいずれか一方に限るものではなく、かつそれらを交差させるようにしてもよい。又取り付け口４を跨ぐ形もコの字型に限るものではなく、取付部材の形状に合わせた形にしてもよい。
【００２５】
更に梁６には、図７に示すように位置決め孔９を設けてもよい。位置決め孔９は、表示装置３９に設けられた凸部５０に嵌合するように設け、表示装置３９を爪等によって遊技基盤２に固定するとともに凸部５０を位置決め孔９に嵌合して固定する。このように位置決め孔９に凸部５０を嵌め合わせて表示装置３９を固定することにより、表示装置３９を遊技基盤２に正確に取り付けることができ、又表示装置３９を取付口４の周囲に加え、裏側に設けられた梁６に固定させることができることから、表示装置３９を遊技基盤２に強固に固定することができる。
【００２６】
更、梁の他の例を図８に示す。図８に示す梁１０は、取付口４の両側に跨っておらず、一方のみが遊技基盤２に固定されている。このように梁１０が一方側からのみ延設されていても取付口４の裏面側に延びていれば、取付口４に取り付けられた表示装置３９等の裏側を保護でき、又図７に示したように位置決め孔９を設け、取付部材に設けた凸部５０を位置決め孔９に嵌合すれば、表示装置３９等の取り付け位置の精度や取り付け強度等を向上させることができる。なお、梁１０は図８に示すように一方に設けられたものではなく、図９に示すように両側に固定されていて、中間部分で両者が離れているものでもよい。
【００２７】
【発明の効果】
本発明の遊技盤によれば、表示画面等遊技盤に取り付けられる取付部材の取付取付口に、取付口を跨ぐように梁を設けることとしたので、取付口を設けたことによって遊技盤の強度や精度が低下することはなく、又、取付部材を遊技盤に強固に取り付けることができ、しかも遊技盤に取り付けられた取付部材を保護し、又遊技盤への取り付け精度や取り付け強度を向上させることができる。
【００２８】
更に、射出成形時に溶融樹脂の流れを円滑にし、遊技盤のそりや歪みを生じさせることがない。
【図面の簡単な説明】
【図１】本発明にかかる梁を有する遊技盤の一実施形態を示す図である。
【図２】パチンコ機の一実施形態を示す図である。
【図３】図１に示す遊技盤の反対面を示す図である。
【図４】本発明にかかる梁の実施形態を示す図である。
【図５】本発明にかかる梁の他の実施形態を示す図である。
【図６】本発明にかかる梁の他の実施形態を示す図である。
【図７】本発明にかかる梁の他の実施形態を示す図である。
【図８】本発明にかかる梁の他の実施形態を示す図である。
【図９】本発明にかかる梁の他の実施形態を示す図である。
【符号の説明】
１ パチンコ機
２ 遊技基盤
４、５、４４  取付口
６、７、８、１０  梁
３０  遊技盤
３１ フロントドア
３２  ガラス板
３３ 上受け皿
３４  釘
３５ 下受け皿
３６  役物
３８  入賞口
３９  表示装置
４０  ハンドル
４１  回収口
４２ 大型入賞装置
４３ 開閉板
４６ 釘取付部
【図１】
0003836586.tif 000002
【図２】
0003836586.tif 000003
【図３】
0003836586.tif 000004
【図４】
0003836586.tif 000005
【図５】
0003836586.tif 000006
【図６】
0003836586.tif 000007
【図７】
0003836586.tif 000008
【図８】
0003836586.tif 000009
【図９】
0003836586.tif 000010